(57)【要約】【課題】光トランシーバを高密度に実装した場合であっても十分な冷却効果を得ることができ、また光トランシーバの誤抜去を抑制することが可能な通信装置及びファン付き誤操作防止治具を提供する。【解決手段】筐体４と、筐体４のフロントパネル４ａに設けられており、光トランシーバ５を挿着するための複数のポート６と、フロントパネル４ａを貫通するように形成されており、筐体４内に外気を取り込むための通風口７と、フロントパネル４ａとポート６に挿着された光トランシーバ５とを覆うように筐体４に取り付けられる治具筐体８と、治具筐体８に設けられ、治具筐体８内に外気を送り込むファンユニット９と、を有するファン付き誤操作防止治具３と、を備えた。【選択図】図１
2017147359.tif 000002
【特許請求の範囲】
【請求項１】
筐体と、
前記筐体のフロントパネルに設けられており、光トランシーバを挿着するための複数のポートと、
前記フロントパネルを貫通するように形成されており、前記筐体内に外気を取り込むための通風口と、
前記フロントパネルと前記ポートに挿着された前記光トランシーバとを覆うように前記筐体に取り付けられる治具筐体と、前記治具筐体に設けられ、前記治具筐体内に外気を送り込むファンユニットと、を有するファン付き誤操作防止治具と、を備えた、
通信装置。
【請求項２】
前記治具筐体は、一面が開口した直方体形状に形成され、前記開口に前記筐体の前記フロントパネル側の端部を挿入した状態で、前記筐体に固定されている、
請求項１に記載の通信装置。
【請求項３】
前記ファンユニットは、前記治具筐体の開口と対向する前壁に設けられ、前記治具筐体の前方側から外気を吸気し、前記開口側に外気を送り出すように構成されている、
請求項２に記載の通信装置。
【請求項４】
前記治具筐体は、可視光を透過する透明部材から構成されている、
請求項１乃至３の何れか１項に記載の通信装置。
【請求項５】
前記筐体のフロントパネルには、前記ファンユニットに電源を供給するためのファン電源供給用コネクタが設けられており、
前記ファンユニットは、当該ファンユニットに電源を供給するための電源線と、電源線の端部に設けられた電源線側コネクタと、を有し、
前記電源線側コネクタを前記ファン電源供給用コネクタに接続することで、前記筐体側から前記ファンユニットに電源が供給されるように構成されている、
請求項１乃至４の何れか１項に記載の通信装置。
【請求項６】
前記治具筐体には、前記光トランシーバから延出された光ケーブルを通すためのケーブル挿通穴が形成されている、
請求項１乃至５の何れか１項に記載の通信装置。
【請求項７】
前記筐体内に設けられ、前記フロントパネルに形成された前記通風口から前記筐体内に外気を吸気して前記筐体内の冷却を行うための本体側ファンユニットをさらに備える、
請求項１乃至６の何れか１項に記載の通信装置。
【請求項８】
筐体と、
前記筐体のフロントパネルに設けられており、光トランシーバを挿着するための複数のポートと、
前記フロントパネルを貫通するように形成されており、前記筐体内に外気を取り込むための通風口と、
を備えた通信装置本体に取り付けられるファン付き誤操作防止治具であって、
前記フロントパネルと前記ポートに挿着された前記光トランシーバとを覆うように前記筐体に取り付けられる治具筐体と、
前記治具筐体に設けられ、前記治具筐体内に外気を送り込むファンユニットと、を備えた、
ファン付き誤操作防止治具。
【発明の詳細な説明】
【技術分野】
【０００１】
本発明は、通信装置及びファン付き誤操作防止治具に関する。
【背景技術】
【０００２】
従来、ネットワークスイッチやルータ等の通信装置として、筐体と、筐体のフロントパネルに設けられた光トランシーバを挿着するための複数のポートと、を備えたものが知られている。
【０００３】
なお、この出願の発明に関連する先行技術文献情報としては、特許文献１がある。
【先行技術文献】
【特許文献】
【０００４】
【特許文献１】実開平５−４７９０６号公報
【発明の概要】
【発明が解決しようとする課題】
【０００５】
近年、通信容量の増加や光トランシーバの小型化に伴い、通信装置における光トランシーバの実装密度が増大しており、高密度に実装された光トランシーバや、筐体内部の通信用ＬＳＩ等の発熱部材をいかに効率よく冷却するかが課題となってきている。
【０００６】
従来、通信装置では、光トランシーバを挿着するケージにヒートシンクを設けることで光トランシーバの冷却を行うことが一般的であったが、この場合、ヒートシンクが冷却用の外気の流れ（エアフロー）を妨げてしまい、筐体内部の発熱部材を十分に冷却できない場合がある。
【０００７】
また、通信装置を複数用いる場合、複数の通信装置をラックに収容して配置するのが一般的である。このように複数の通信装置を近接して配置した場合、通信装置の接続作業等を行っている際に、作業者の体の一部が他の通信装置に当たる等して、意図せず光トランシーバが通信装置から抜け落ちてしまい、通信に影響が及んでしまう可能性が高くなる。
【０００８】
そこで、本発明は、光トランシーバを高密度に実装した場合であっても十分な冷却効果を得ることができ、また光トランシーバの誤抜去を抑制することが可能な通信装置及びファン付き誤操作防止治具を提供することを目的とする。
【課題を解決するための手段】
【０００９】
本発明は、上記課題を解決することを目的として、筐体と、前記筐体のフロントパネルに設けられており、光トランシーバを挿着するための複数のポートと、前記フロントパネルを貫通するように形成されており、前記筐体内に外気を取り込むための通風口と、前記フロントパネルと前記ポートに挿着された前記光トランシーバとを覆うように前記筐体に取り付けられる治具筐体と、前記治具筐体に設けられ、前記治具筐体内に外気を送り込むファンユニットと、を有するファン付き誤操作防止治具と、を備えた、通信装置を提供する。
【００１０】
また、本発明は、上記課題を解決することを目的として、筐体と、前記筐体のフロントパネルに設けられており、光トランシーバを挿着するための複数のポートと、前記フロントパネルを貫通するように形成されており、前記筐体内に外気を取り込むための通風口と、を備えた通信装置本体に取り付けられるファン付き誤操作防止治具であって、前記フロントパネルと前記ポートに挿着された前記光トランシーバとを覆うように前記筐体に取り付けられる治具筐体と、前記治具筐体に設けられ、前記治具筐体内に外気を送り込むファンユニットと、を備えた、ファン付き誤操作防止治具を提供する。
【発明の効果】
【００１１】
本発明によれば、光トランシーバを高密度に実装した場合であっても十分な冷却効果を得ることができ、また光トランシーバの誤抜去を抑制することが可能な通信装置及びファン付き誤操作防止治具を提供できる。
【図面の簡単な説明】
【００１２】
【図１】本発明の一実施の形態に係る通信装置を示す図であり、（ａ）はファン付き誤操作防止治具を取り付ける前の斜視図、（ｂ）はファン付き誤操作防止治具を取り付けた際の平面図である。
【図２】本発明の一変形例に係る通信装置を示す図であり、（ａ）はファン付き誤操作防止治具を取り付ける前の斜視図、（ｂ）はファン付き誤操作防止治具を取り付けた際の平面図である。
【発明を実施するための形態】
【００１３】
［実施の形態］
以下、本発明の実施の形態を添付図面にしたがって説明する。
【００１４】
図１は、本実施の形態に係る通信装置を示す図であり、（ａ）はファン付き誤操作防止治具を取り付ける前の斜視図、（ｂ）はファン付き誤操作防止治具を取り付けた際の平面図（上面図）である。
【００１５】
図１（ａ），（ｂ）に示すように、通信装置１は、通信装置本体２と、ファン付き誤操作防止治具３と、を備えて構成されている。通信装置１は、例えばネットワークスイッチやルータである。
【００１６】
通信装置本体２は、略直方体形状の筐体４を備えている。筐体４のフロントパネル４ａには、光トランシーバ５を挿着するための複数のポート６が設けられている。また、筐体４のフロントパネル４ａには、フロントパネル４ａを貫通するように、筐体４内に外気を取り込むための通風口７が形成されている。
【００１７】
ここでは、フロントパネル４ａに１６個のポート６が設けられており、ポート６が２列に整列配置されている場合を示しているが、ポート６の数や配置は図示のものに限定されない。また、ポート６は、ＬＡＮケーブル等のメタルケーブルが接続されるポートや、通信装置本体２を管理する管理信号を入出力するためのポートを含んでいてもよい。
【００１８】
また、ここでは、ポート６の上下のフロントパネル４ａに通風口７を形成する場合を示しているが、通風口７を形成する位置は図示の位置に限定されない。
【００１９】
ファン付き誤操作防止治具３は、治具筐体８と、ファンユニット９と、を備えている。
【００２０】
治具筐体８は、フロントパネル４ａとポート６に挿着された光トランシーバ５とを覆うように筐体４に取り付けられる。本実施の形態では、治具筐体８は、対向する一対の側壁８ａと、一対の側壁８ａの上端部同士を連結する上壁８ｂと、一対の側壁８ａの下端部同士を連結する下壁８ｃと、側壁８ａと上壁８ｂと下壁８ｃの前方の端部同士を連結する前壁８ｄと、を一体に構成してなり、全体として一面が開口した直方体形状に形成されている。
【００２１】
治具筐体８は、その開口に通信装置本体２の筐体４のフロントパネル４ａ側の端部を挿入した状態で、筐体４に固定されている。ここでは、ネジ１０を用いて治具筐体８の側壁８ａを筐体４にネジ止め固定することにより、治具筐体８を筐体４に取り付ける場合を示しているが、治具筐体８の取り付け構造はこれに限定されるものではない。治具筐体８と筐体４には、ネジ止め用のネジ穴１７，１８がそれぞれ形成されている。
【００２２】
このように、治具筐体８は、通信装置本体２のフロントパネル４ａ側の端部全体を覆うように設けられている。これにより、通信装置本体２にファン付き誤操作防止治具３を取り付けた状態においては、作業者が光トランシーバ５の着脱操作を行うことができなくなり、例えば近接して配置された他の通信装置の接続作業中に作業者の体の一部が当たる等して、光トランシーバ５が誤って抜去されてしまうことを抑制可能になる。
【００２３】
治具筐体８は、例えばアクリル樹脂など、可視光を透過する透明部材から構成されている。これにより、通信装置本体２にファン付き誤操作防止治具３を取り付けた状態においても、フロントパネル４ａに設けられた各ポート６の通信状態等を表示する発光ダイオード等の表示部（不図示）を視認することが可能となり、また、光トランシーバ５のポート６への接続状態を視認することが可能になる。
【００２４】
また、治具筐体８には、光トランシーバ５から延出された光ケーブル１６を通すためのケーブル挿通穴１５が形成されている。ここでは、治具筐体８の両側面８ａに、筐体４の挿入側に開口する切欠き状のケーブル挿通穴１５を形成したが、ケーブル挿通穴１５を形成する位置はこれに限定されない。例えば、治具筐体８の上壁８ｂや下壁８ｃ、あるいは前壁８ｄにケーブル挿通穴１５が形成されていてもよい。
【００２５】
ファンユニット９で治具筐体８内に導入した外気を効率よく通信装置本体２の筐体４内へと導入するため、ケーブル挿通穴１５をできるだけ小さくし、ケーブル挿通穴１５から漏出する外気をできるだけ少なくすることが望ましい。また、使用していないケーブル挿通穴１５を塞ぐ蓋部材を治具筐体８に備えるようにしてもよい。
【００２６】
ファンユニット９は、治具筐体８に一体に設けられている。ここでは、３つのファンユニット９を治具筐体８に設ける場合を示しているが、ファンユニット９の数はこれに限定されず、光トランシーバ５の実装密度（ポート６の数）等、通信装置本体２の発熱量に応じて適宜設定可能である。治具筐体８のファンユニット９と対応する位置には貫通孔が設けられており、この貫通孔を塞ぐようにファンガード９ａが設けられている。ファンガード９ａは、作業者の指等がファンユニット９のファンに巻き込まれることを抑制して安全性を確保すると共に、ファンユニット９の異物巻き込みによる故障を抑制するためのものである。
【００２７】
ファンユニット９は、治具筐体８内に外気を送り込むように構成されている。ファンユニット９により治具筐体８内に送り込まれた外気は、通風口７を介して通信装置本体２の筐体４内に送り込まれることになる。これにより、光トランシーバ５や筐体４内の通信用ＬＳＩ等の発熱部材の冷却が促進される。
【００２８】
本実施の形態では、ファンユニット９は、治具筐体８の開口と対向する前壁８ｄに設けられており、治具筐体８の前方側から外気を吸気し、開口側（通信装置本体２側）に外気を送り出すように構成されている。これにより、ファンユニット９から送り出された外気を直接フロントパネル４ａや光トランシーバ５に当てて、冷却効率をより高めることが可能になると共に、通風口７を介して筐体４内に外気をより導入し易くなる。
【００２９】
本実施の形態では、通信装置本体２の筐体４内にも、ファンユニット（以下、本体側ファンユニットと呼称する）１４が搭載されている。本体側ファンユニット１４は、フロントパネル４ａに形成された通風口７から筐体４内に外気を吸気して背面側に排気し、筐体４内の冷却を行うためのものである。本体側ファンユニット１４は、筐体４内の背面側（フロントパネル４ａと反対側）の端部に設けられている。ここでは、筐体４内に２個の本体側ファンユニット１４が設けられている場合を示しているが、本体側ファンユニット１４の数はこれに限定されない。また、本体側ファンユニット１４は、通信装置本体２の電源ユニットに一体に搭載されたものであってもよい。
【００３０】
なお、本実施の形態では、ファン付き誤操作防止治具３に搭載されたファンユニット９を備えているため、本体側ファンユニット１４を省略することも可能であるが、本体側ファンユニット１４を備えることで、より筐体４内に導入される外気を多くし、筐体４内の冷却効果を高めることが可能になる。
【００３１】
このように、本実施の形態では、ファン付き誤操作防止治具３に搭載されたファンユニット９と本体側ファンユニット１４とを備え、光トランシーバ５や通信装置本体２内の発熱部材を効率よく冷却することが可能である。そのため、通常光トランシーバ５を挿着するケージ（不図示）に設けられているヒートシンクを省略することも可能である。ケージに設けられたヒートシンクを省略することで、通信装置本体２の筐体４内でのエアフローがより改善し、筐体４内の発熱部材をより効率よく冷却することが可能になる。
【００３２】
なお、本実施の形態では、ファンユニット９と本体側ファンユニット１４が、共に前方から吸気し後方（背面側）に排気するように構成されている場合を説明したが、ファンユニット９と本体側ファンユニット１４が、共に後方から吸気し前方に排気するように構成されていてもよい。つまり、本体側ファンユニット１４が背面側から吸気してフロントパネル４ａ側に排気するように構成され、ファンユニット９が治具筐体８内の空気を治具筐体８の外部へと排気するように構成されていてもよい。
【００３３】
ファンユニット９を駆動するための電源は、通信装置本体２から供給するように構成してもよいし、通信装置１を設置するラック等外部から供給するように構成してもよい。本実施の形態では、通信装置本体２からファンユニット９に電源を供給するように構成している。
【００３４】
具体的には、通信装置本体２の筐体４のフロントパネル４ａには、ファンユニット９に電源を供給するためのファン電源供給用コネクタ１１が設けられている。また、ファンユニット９は、ファンユニット９に電源を供給するための電源線１２と、電源線１２の端部に設けられた電源線側コネクタ１３と、を有している。この電源線側コネクタ１３を通信装置本体２のファン電源供給用コネクタ１１に接続することで、筐体４側からファンユニット９に電源が供給される。
【００３５】
（実施の形態の作用及び効果）
以上説明したように、本実施の形態に係る通信装置１では、フロントパネル４ａとポート６に挿着された光トランシーバ５とを覆うように筐体４に取り付けられる治具筐体８と、治具筐体８に設けられ、治具筐体８内に外気を送り込むファンユニット９と、を有するファン付き誤操作防止治具３を備えている。
【００３６】
ファン付き誤操作防止治具３を備えることで、光トランシーバ５を高密度に実装した場合であっても、エアフローが向上して十分な冷却効果を得ることが可能になる。
【００３７】
また、治具筐体８によりフロントパネル４ａとポート６に挿着された光トランシーバ５とを覆う構成とすることにより、光トランシーバ５の誤抜去を抑制することが可能になる。
【００３８】
さらに、ファン付き誤操作防止治具３を備えることで、通信装置１が備えるファンユニットの数を増加できるため、冷却効果を維持しつつも、ファンユニット９や本体側ファンユニット１４におけるファンの回転数を低くし、騒音を抑制することも可能になる。
【００３９】
（変形例）
図２（ａ），（ｂ）に示す通信装置２１は、図１（ａ），（ｂ）の通信装置１において、通信装置本体２の筐体４に側方に突出する位置決め用突起２２を設け、位置決め用突起２２をケーブル挿通穴１５に挿入するように構成したものである。
【００４０】
位置決め用突起２２は、筐体４の側壁におけるフロントパネル４ａ側の端部に形成されており、側方に突出するように設けられている。ケーブル挿入穴１５への挿入をより容易とするために、位置決め用突起２２のフロントパネル４ａ側の上下の角部には丸め加工あるいは面取り加工が施されていてもよい。
【００４１】
通信装置２１では、ケーブル挿入穴１５は、位置決め用突起２２が挿入される突起挿入部１５ａと、突起挿入部１５ａよりも前側（筐体４の挿入側と反対側）に形成されたケーブル挿入部１５ｂと、で構成されている。ケーブル挿入部１５ｂの幅（上下方向における幅）は、突起挿入部１５ａの幅（上下方向における幅）よりも小さく形成されており、ケーブル挿入穴１５は、全体として階段状（側面視で９０度回転させた凸字状）に形成されている。
【００４２】
突起挿入部１５ａは、その幅が位置決め用突起２２の幅（上下方向における幅）と略同じと（位置決め用突起２２の幅よりも若干大きく）なるように形成されている。治具筐体８は、位置決め用突起２２の先端部を突起挿入部１５ａとケーブル挿入部１５ｂとの間の段差に突き当てた状態で、ネジ止めにより筐体４に固定される。
【００４３】
通信装置２１のように、位置決め用突起２２を突起挿入部１５ａに挿入する構成とすることで、筐体４に対する治具筐体８の位置決めを容易に行うことが可能になる。
【００４４】
また、位置決め用突起２２を突起挿入部１５ａに挿入する構成とすることで、位置決め用突起２２の先端部がケーブル挿入部１５ｂの開口を塞ぐことになるため、治具筐体８と筐体４の間に光ケーブル１６が挟まれてしまうことを抑制できる。通信装置２１では、光ケーブル１６をケーブル挿入部１５ｂに通した状態で、位置決め用突起２２を突起挿入部１５ａに挿入し、治具筐体８を筐体４に取り付ける。
【００４５】
なお、通信装置２１では、位置決め用突起２２を筐体４側に、位置決め用突起２２を収容する突起挿入部１５ａを治具筐体８側に形成したが、これに限らず、治具筐体８に突起を形成し、筐体４に突起を収容する溝を形成してもよい。この場合、治具筐体８に形成する突起は、側壁８ａから内方に突出するように形成されてもよいし、側壁８ａの端部から後方（背面側）に突出するように形成されてもよい。また、筐体４に形成する溝は、筐体４の側面の一部を凹ませた形状としてもよいし、側方に突出する１対の突起を上下に離間して形成することで、当該突起の間に溝を形成してもよい。
【００４６】
（実施の形態のまとめ）
次に、以上説明した実施の形態から把握される技術思想について、実施の形態における符号等を援用して記載する。ただし、以下の記載における各符号等は、特許請求の範囲における構成要素を実施の形態に具体的に示した部材等に限定するものではない。
【００４７】
［１］筐体（４）と、前記筐体（４）のフロントパネル（４ａ）に設けられており、光トランシーバ（５）を挿着するための複数のポート（６）と、前記フロントパネル（４ａ）を貫通するように形成されており、前記筐体（４）内に外気を取り込むための通風口（７）と、前記フロントパネル（４ａ）と前記ポート（６）に挿着された前記光トランシーバ（５）とを覆うように前記筐体（４）に取り付けられる治具筐体（８）と、前記治具筐体（８）に設けられ、前記治具筐体（８）内に外気を送り込むファンユニット（９）と、を有するファン付き誤操作防止治具（３）と、を備えた、通信装置（１）。
【００４８】
［２］前記治具筐体（８）は、一面が開口した直方体形状に形成され、前記開口に前記筐体（４）の前記フロントパネル（４ａ）側の端部を挿入した状態で、前記筐体（４）に固定されている、［１］に記載の通信装置（１）。
【００４９】
［３］前記ファンユニット（９）は、前記治具筐体（８）の開口と対向する前壁（８ｄ）に設けられ、前記治具筐体（８）の前方側から外気を吸気し、前記開口側に外気を送り出すように構成されている、［２］に記載の通信装置（１）。
【００５０】
［４］前記治具筐体（８）は、可視光を透過する透明部材から構成されている、［１］乃至［３］の何れか１項に記載の通信装置（１）。
【００５１】
［５］前記筐体（４）のフロントパネル（４ａ）には、前記ファンユニット（９）に電源を供給するためのファン電源供給用コネクタ（１１）が設けられており、前記ファンユニット（９）は、当該ファンユニット（９）に電源を供給するための電源線（１２）と、前記電源線（２１）の端部に設けられた電源線側コネクタ（１３）と、を有し、前記電源線側コネクタ（１３）を前記ファン電源供給用コネクタ（１１）に接続することで、前記筐体（４）側から前記ファンユニット（９）に電源が供給されるように構成されている、［１］乃至［４］の何れか１項に記載の通信装置（１）。
【００５２】
［６］前記治具筐体（８）には、前記光トランシーバ（５）から延出された光ケーブル（１６）を通すためのケーブル挿通穴（１５）が形成されている、［１］乃至［５］の何れか１項に記載の通信装置（１）。
【００５３】
［７］前記筐体（４）内に設けられ、前記フロントパネル（４ａ）に形成された前記通風口（７）から前記筐体（４）内に外気を吸気して前記筐体（４）内の冷却を行うための本体側ファンユニット（１４）をさらに備える、［１］乃至［６］の何れか１項に記載の通信装置（１）。
【００５４】
［８］筐体（４）と、前記筐体（４）のフロントパネル（４ａ）に設けられており、光トランシーバ（５）を挿着するための複数のポート（６）と、前記フロントパネル（４ａ）を貫通するように形成されており、前記筐体（４）内に外気を取り込むための通風口（７）と、を備えた通信装置本体（２）に取り付けられるファン付き誤操作防止治具（３）であって、前記フロントパネル（４ａ）と前記ポート（６）に挿着された前記光トランシーバ（５）とを覆うように前記筐体（４）に取り付けられる治具筐体（８）と、前記治具筐体（８）に設けられ、前記治具筐体（８）内に外気を送り込むファンユニット（９）と、を備えた、ファン付き誤操作防止治具（３）。
【００５５】
以上、本発明の実施の形態を説明したが、上記に記載した実施の形態は特許請求の範囲に係る発明を限定するものではない。また、実施の形態の中で説明した特徴の組合せの全てが発明の課題を解決するための手段に必須であるとは限らない点に留意すべきである。
【００５６】
本発明は、その趣旨を逸脱しない範囲で適宜変形して実施することが可能である。
【００５７】
例えば、上記実施の形態では、光トランシーバ５の接続を変更するためには、ファン付き誤操作防止治具３全体を通信装置本体２から取り外して作業を行う必要があるが、例えば、ファン付き誤操作防止治具３の治具筐体８における上壁８ｂに開閉可能な蓋部を設け、当該蓋部を介して光トランシーバ５の接続変更等を行えるように構成してもよい。
【符号の説明】
【００５８】
１…通信装置
２…通信装置本体
３…ファン付き誤操作防止治具
４…筐体
４ａ…フロントパネル
５…光トランシーバ
６…ポート
７…通風口
８…治具筐体
９…ファンユニット
１０…ネジ
１１…ファン電源供給用コネクタ
１２…電源線
１３…電源線側コネクタ
１４…本体側ファンユニット
１５…ケーブル挿通穴
１６…光ケーブル
【図１】
2017147359.tif 000003
【図２】
2017147359.tif 000004